(57)【特許請求の範囲】
【請求項１】
所要幅の充填用控空間を開けて各々上下左右端面全長に隣接相互嵌結自在な凹陥／凸起模様を形成延在した一対の発泡プラスチック製両前／後パネルを相対峙する並行パネルを縦横に連続して多段に上下左右両面に亙り嵌合積立てて構築壁を組上げる為、基礎打ちコンクリートを打設した基礎部と、上下に隣接する前記両前／後パネル相互の各高さの１／３に亙り連結合自在なプラスチック製縦継目接手の対向相互をセパレーターにて連結組構した平壁部と、コーナー部分の上下左右に隣接する前記並行パネル相互の各段縦継目に跨っ
てそれぞれ対応取り付けた対向する内並行アングル縦継目接手と外並行アングル縦継目接手相互を前記セパレーターにて連結形成したコーナー壁部と、Ｔ字交差部分の上下左右隣接する前記並行パネル相互の各段縦継目に跨ってそれぞれ対応取付けた内並行アングル縦継目接手と外並行直板縦継目接手相互を前記セパレーターにて連結形成したＴ字仕切壁部とからなり、前記充填用控空間内は縦横に連続配筋した補強鉄筋群と充填打設した壁コンクリートを保有する組上げ壁であって、
前記縦継目接手は、
前記両前／後パネルのそれぞれ前記上下に隣接する相互の各段縦継目内側に跨って連続合致形成した各平面Ｔ嵌溝に亙ってそれぞれ上下半分ずつ嵌挿する接手嵌板と平面Ｔ字形成する接手嵌片の内側露出端に亙って延設する接手露出板上下部にそれぞれ、直線丸棒状鉄製の前記セパレーター両端を同方向並行直角に折曲形成した直角鈎端を強固に挿入結合するよう内径を上下に亙り漸次拡大又は縮小するテーパー内面の係止孔を三連以上突出貫設して対向する前記縦継目接手の施工された前記補強鉄筋回避位置の当該係止孔に前記各セパレーターの前記直角鈎端をそれぞれ選択挿入連結自在に形成し、
前記両内／外並行アングル縦継目接手相互は、
平面直角に組接した上下左右に隣接する前記並行パネル相互の各段縦継目に跨ってかつ前後から外嵌状に前記コーナー壁部に亙ってそれぞれ挟み込み、並行相対向面対応領域の横方向に亙って前記セパレーター両端の鈎端を強固に挿入結合するよう内径を上下に亙り漸次拡大又は縮小するテーパー内面の三連単位以上の係止孔群をそれぞれ等間隔に又は三連単位以上の係止孔群を連続的に突出貫設し、前記セパレーターの前記直角鈎端を、施工された前記補強鉄筋回避位置の当該係止孔にそれぞれ選択挿入連結自在に形成する、
ことを特徴とする組上げ構築壁。
【請求項２】
前記Ｔ字仕切壁部の前記内並行アングル縦継目接手と前記外並行直板縦継目接手は、
一つの垂直面と二つの平面直角に組接した上下左右に隣接する前記並行パネル相互の各段縦継目に跨って、かつ、前後から外嵌状に外平壁部と内コーナー壁部にそれぞれ亙って、各々挟み込む一つの前記外並行直板縦継目接手と二つの前記内並行アングル縦継目接手のそれぞれ並行相対向面対応領域の横方向に亙って、前記セパレーター両端の鈎端を強固に挿入結合するよう内径を上下に亙り漸次拡大又は縮小する各テーパー内面の三連単位以上の係止孔群をそれぞれ等間隔に又は三連単位以上の係止孔群を連続的に突出貫設し、前記セパレーターの前記直角鈎端を対応対向する、施工された前記補強鉄筋回避位置の当該係止孔にそれぞれ選択挿入連結自在に形成する、
ことを特徴とする請求項１に記載の組上げ構築壁。
【請求項３】
前記セパレーターは、
前記充填用控空間幅に対応する長さを有する、
ことを特徴とする請求項１又は２に記載の組上げ構築壁。
【請求項４】
前記コーナー壁部と前記Ｔ字仕切壁部の前記内並行アングル縦継目接手は、
同一金型にて成形自在に形成する、
ことを特徴とする請求項１、２又は３に記載の組上げ構築壁。
【請求項５】
前記両前／後パネルは、
同一金型にて成形自在に形成する、
ことを特徴とする請求項１、２、３又は４に記載の組上げ構築壁。
【請求項６】
前記両前／後パネルの前記平面Ｔ嵌溝は、
内側面の横方向等間隔の所定上端と下端からパネル高さのほぼ３分の１ずつ切り込み延在する、
ことを特徴とする請求項１、２、３、４又は５に記載の組上げ構築壁。
【請求項７】
前記係止孔群は、
突出ブロック又は連続突出棚ブロックに貫設する、
ことを特徴とする請求項１、２、３、４、５又は６に記載の組上げ構築壁。
【発明の詳細な説明】
【０００１】
【発明の属する技術分野】
本発明は、家屋、事務所、低層ビル、各種小屋、物置、倉庫等の建築壁、犬小屋、家畜小屋、飼育小屋などの動物舎壁、ビニールハウス、温室などの栽培ハウス壁、塀などの外構壁、垂直擁壁などに供される組上げ構築壁の改良に関する。
【０００２】
【従来の技術】
本発明出願人が開発した特願平１１−２８７１３１号（特開２００１−１０７４９７号）の図７に示す組上げ構築壁αが存する。
組上げ構築壁αは、所要控空間幅Ｌを開けて一対の発泡プラスチック製両前／後パネル２，２を相対峙する並行パネル１を縦横に連結して多段に嵌合積立てて組上げた構築壁であって、基礎打ちコンクリートを打設した基礎部Ｂと、上下に隣接する並行パネル１相互の各段縦継目Ａ１内側に跨ってそれぞれ取付けた対向する縦継目接手３，３をセパレーター４にて連結組構した平壁部と、コーナー部分の上下左右に隣接する並行パネル１相互の各段縦継目Ａ１に直角外嵌跨ってそれぞれ対応取付けた対向する両内／外並行アングル縦継目接手５，６相互をセパレーター４にて連結形成したコーナー壁部と、Ｔ字交差部分の直角部上下左右隣接する並行パネル１相互の各段縦継目Ａ１に外嵌状に跨ってそれぞれ対応取付けた内平行アングル縦継目接手７と直線部上下に隣接する並行パネル１相互の上下縦継目Ａ１に外嵌状に跨った外並行直板縦継目接手８相互をセパレーター４にて連結形成したＴ字仕切壁部とからなり、充填用控空間内は、縦横に連続配筋した図示しない補強鉄筋群と充填打設した壁コンクリートを保有する。
【０００３】
前記両前／後両パネル２，２は、断熱性、遮音性、密閉性を有する発泡ポリスチレン、発泡ポリウレタン、発泡ポリ塩化ビニール、発泡ポリオレフィンなどの発泡プラスチック等で、嵌合凸起模様とこれに合致する嵌合凹陥模様を上端面と下端面全長に亙ってそれぞれ連続形成するとともに断面略Ｔ凸条と合致する断面略Ｔ凹条を左端面と右端面全長に亙ってそれぞれ延在し、相対峙する内側面の横方向等間隔所定の上部と下部に中間部を隔て、上／下両端面からそれぞれ垂直に平面Ｔ嵌溝２ｇを切込んである。
【０００４】
図８に示すよう、前記縦継目接手３は、ポリエチレン、ポリプロピレン等のプラスチック製で並行相対峙する接手嵌板３ａと接手露出板３ｂ間の上下を接手嵌片３ｃ，３ｄで、中間を仕切嵌杆３ｅでそれぞれ一体連結するとともに接手露出板３ｂの上下部にそれぞれ二連の係止筒３ｆ，３ｆを突設してある。
【０００５】
又、接手嵌板３ａ及び接手露出板３ｂの外側間中間部をＶ溝３ｇで仕切り、接手嵌片３ｃ，３ｄは接手嵌板３ａと両前／後パネル２，２の平面Ｔ嵌溝２ｇに嵌挿する平面Ｔ形体とし、縦継目接手３の両上／下半部をそれぞれ嵌挿自在に一体形成する。
【０００６】
図９に示すよう、前記セパレーター４はポリプロピレンや強化プラスチック等のプラスチック等で上側等間隔に鉄筋受座４ａを設けるとともに並行二股屈曲両端部４ｂ，４ｂは、下向直角に屈曲する一方、割溝４ｃを割設した先部鈎端４ｄ，４ｄを係止筒３ｆの各孔内周よりも少許外周を大とした係止段部４ｅ，４ｅを設ける。
【０００７】
図１０に示すよう、コーナー壁部の前記外並行アングル縦継目接手６及び内並行アングル縦継目接手５は、それぞれ二枚の直角接手板５ａと５ｂ，６ａと６ｂを前パネル又は後パネル２が嵌入するパネル厚間隔Ｈを開けて相対峙し、それぞれ連結杆５ｃ，６ｃでそれぞれ一体に連結成形し、両継目接手５，６の対向部位に二連の係止筒５ｄ，６ｄを突設し、セパレーター４の並行二股屈曲両端部４ｂと４ｂを係止筒５ｄと６ｄに挿入して連結組構したものである。
【０００８】
図１１に示すよう、Ｔ字仕切壁部の前記外並行直板縦継目接手８は二枚の平縦継目接手板８ａと８ｂを、前パネル又は後パネル２が嵌入するパネル厚間隔Ｈを開けて相対峙し、連結杆８ｃで一体に連結成形し、他方、二箇の内並行アングル縦継目接手７、７は、二枚の直角接手板７ａと７ｂを、パネル厚間隔Ｈを開けて相対峙し、連結杆７ｃで一体に連結成形するとともに、両継目接手７と８の対向部位に二連の係止筒７ｄ，８ｄを突設し、セパレーター４の並行二股屈曲両端部４ｂ，４ｂを係止筒７ｄと８ｄに挿入して連結組構したものである。
【０００９】
【発明が解決しようとする課題】
以上のように、従来の構築壁αでは、上下左右前後の組上げ強度が高く、構成部材は軽量にして取扱容易で熟練を要せず、工期の大幅な短縮が可能であるが、在来工法に対して安価と言えども、建物設計仕様上及びコンクリート耐圧壁構造上、建物の階層高さ上等の要請でコンクリート充填控幅（控空間幅Ｌ）を調整しなければならないが、その為にセパレーター４の長さを数種類揃える必要があり、その都度複雑形状構造の金型が数種類不可欠となる。
【００１０】
又コーナー壁部の両内／外並行アングル縦継目接手５，６をコンクリート幅厚（控空間幅Ｌ）に対応したものを確保するための金型も対応数必要となり、コーナー壁部とＴ字仕切壁部の内並行アングル縦継目接手５，７の成形も別々の金型を用いており、金型製作コストが膨大となり、不経済性は否めず、普及性に問題があった。
【００１１】
又、法規上、コンクリート壁強度確保の必要上、設計条件により内部に決められた以上の数の縦横補強鉄筋を配筋しなければならず、その為、数が増えれば増える程、補強鉄筋配設位置がセパレーター４連結位置と干渉や交差する場合が多発し、セパレーター４が連結不能となり、止む無い場合にはその位置の補強鉄筋をずらせて他の補強鉄筋との連続性を弱め、前者ではその部分の生コンクリート充填圧により縦横継目Ａ１，Ａ２が外部にはみ出し、致命的に外観上の美観を、又後者では強度を損なう内部構造欠陥も避けられなかった。
【００１２】
ここにおいて、本発明が解決しようとする主な目的は、次の通りである。
即ち、本発明の第１の目的は、構築組上げ構成部材の成形金型数の削減と構成部材相互の共通金型成形を可能とし、成形金型コストの初期投資及び構築ランニングコストの低減を大幅に計った組上げ構築壁を提供せんとするものである。
【００１３】
本発明の第２の目的は、内部補強鉄筋とセパレーターの配置位置上相互交差又は干渉を回避して設計通りの規格又は規定以上の強度を確保し得る組上げ構築壁を提供せんとするものである。
【００１４】
本発明の第３の目的は、構築壁内の部分的強度調整が可能な組上げ構築壁を提供せんとするものである。
【００１５】
本発明のその他の目的は、明細書、図面、特に特許請求の範囲の各請求項の記載から自ずと明らかになろう。
【００１６】
【課題を解決するための手段】
本発明は、当該課題の解決に当り、所要幅の充填用控空間を開けて一対の発泡プラスチック製両前／後パネルをセパレーターで連結して相対峙する並行パネルを縦横に連結して多段に上下左右周面に亙り嵌合積立てて組上げる構築壁は、平壁部とコーナー壁部とＴ字仕切壁部を有し、当該平壁部で施用する縦継目接手は、前記上下に隣接する前記両前／後パネル相互の各段縦継目内側に各パネル高さの１／３ずつ跨って連続合致形成した平面Ｔ嵌溝に亙ってそれぞれ上下半分ずつ嵌挿する接手嵌板と平面Ｔ字形成する接手嵌片の内側露出端に亙って延設する接手露出板上下部にそれぞれ係止孔を三連以上突出貫設して対向する前記縦継目接手の補強鉄筋回避位置の当該係止孔に、前記各セパレーターの直角鈎端をそれぞれ選択挿入連結自在に形成し、前記コーナー壁部で施用する両内／外並行アングル縦継目接手相互は、平面直角に組接した上下左右に隣接する前記並行パネル相互の縦継目に跨ってかつ前後から外嵌状に前記コーナー壁部に亙ってそれぞれ挟み込み、並行相対向面対応領域の横方向に亙って、三連単位以上の係止孔群をそれぞれ等間隔に又は三連単位以上の係止孔群を連続的に突出貫設し、前記セパレーターの直角鈎端を対応対向する補強鉄筋回避位置の当該係止孔にそれぞれ選択挿入連結自在に形成する、特徴的構成手段を講じる。
【００１７】
さらに具体的詳細に述べると、当該課題の解決では、本発明が次に列挙する上位概念から下位概念に亙る新規な構成手段を採用することにより、前記目的を達成するように為される。
【００１８】
即ち、本発明の第１の特徴は、所要幅の充填用控空間を開けて各々上下左右端面全長に隣接相互嵌結自在な凹陥／凸起模様を形成延在した一対の発泡プラスチック製両前／後パネルを相対峙する並行パネルを縦横に連続して多段に上下左右両面に亙り嵌合積立てて構築壁を組上げる為、基礎打ちコンクリートを打設した基礎部と、上下に隣接する前記両前／後パネル相互の各高さの１／３に亙り連結合自在なプラスチック製縦継目接手の対向相互をセパレーターにて連結組構した平壁部と、コーナー部分の上下左右に隣接する前記並行パネル相互の各段縦継目に跨ってそれぞれ対応取り付けた対向する内並行アングル縦継目接手と外並行アングル縦継目接手相互を前記セパレーターにて連結形成したコーナー壁部と、Ｔ字交差部分の上下左右隣接する前記並行パネル相互の各段縦継目に跨ってそれぞれ対応取付けた内並行アングル縦継目接手と外並行直板縦継目接手相互を前記セパレーターにて連結形成したＴ字仕切壁部とからなり、前記充填用控空間内は縦横に連続配筋した補強鉄筋群と充填打設した壁コンクリートを保有する組上げ壁であって、前記縦継目接手は、前記上下に隣接する相互の各段縦継目内側に跨って連続合致形成した各平面Ｔ嵌溝に亙ってそれぞれ上下半分ずつ嵌挿する接手嵌板と平面Ｔ字形成する接手嵌片の内側露出端に亙って延設する接手露出板上下部にそれぞれ、直線丸棒状鉄製の前記セパレーター両端を同方向並行直角に折曲形成した直角鈎端を強固に挿入結合するよう内径を上下に亙り漸次拡大又は縮小するテーパー内面の係止孔を三連以上突出貫設して対向する前記縦継目接手の施工された前記補強鉄筋回避位置の当該係止孔に前記各セパレーターの前記直角鈎端をそれぞれ選択挿入連結自在に形成し、前記両内／外並行アングル縦継目接手相互は、平面直角に組接した上下左右に隣接する前記並行パネル相互の各段縦継目に跨ってかつ前後から外嵌状に前記コーナー壁部に亙ってそれぞれ挟み込み、並行相対向面対応領域の横方向に亙って前記セパレーター両端の鈎端を強固に挿入結合するよう内径を上下に亙り漸次拡大又は縮小するテーパー内面の三連単位以上の係止孔群をそれぞれ等間隔に又は三連単位以上の係止孔群を連続的に突出貫設し、前記セパレーターの前記直角鈎端を、施工された前記補強鉄筋回避位置の当該係止孔にそれぞれ選択挿入連結自在に形成してなる、組上げ構築壁の構成採用にある。
【００１９】
本発明の第２の特徴は、前記第１の特徴における前記Ｔ字仕切壁部の前記内並行アングル縦継目接手と前記外並行直板縦継目接手が、一つの垂直面と二つの平面直角に組接した上下左右に隣接する前記並行パネル相互の各段縦継目に跨って、かつ、前後から外嵌状に外平壁部と内コーナー壁部にそれぞれ亙って、各々挟み込む一つの前記外並行直板縦継目接手と二つの前記内並行アングル縦継目接手のそれぞれ並行相対向面対応領域の横方向に亙って、前記セパレーター両端の鈎端を強固に挿入結合するよう内径を上下に亙り漸次拡大又は縮小する各テーパー内面の三連単位以上の係止孔群をそれぞれ等間隔に又は三連単位以上の係止孔群を連続的に突出貫設し、前記セパレーターの前記直角鈎端を対応対向する、施工された前記補強鉄筋回避位置の当該係止孔にそれぞれ選択挿入連結自在に形成してなる、組上げ構築壁の構成採用にある。
【００２０】
本発明の第３の特徴は、前記第１又は第２の特徴における前記セパレーターが、前記充填用控空間幅に対応する長さを有してなる、組上げ構築壁の構成採用にある。
【００２１】
本発明の第４の特徴は、前記第１，第２又は第３の特徴における前記コーナー壁部と前記Ｔ字仕切壁部の前記内並行アングル縦継目接手が、同一金型にて成形自在に形成してなる、組上げ構築壁の構成採用にある。
【００２２】
本発明の第５の特徴は、前記第１，第２，第３又は第４の特徴における前記両前／後パネルが、同一金型にて成形自在に形成してなる、組上げ構築壁の構成採用にある。
【００２３】
本発明の第６の特徴は、前記第１，第２，第３，第４又は第５の特徴における前記両前／後パネルの前記平面Ｔ嵌溝が、内側面の横方向等間隔の所定上端と下端からパネル高さのほぼ３分の１ずつ切りこみ延在してなる、組上げ構築壁の構成採用にある。
【００２４】
本発明の第７の特徴は、前記第１，第２，第３，第４，第５又は第６の特徴における前記係止孔群が、突出ブロック又は連続突出棚ブロックに貫設してなる、組上げ構築壁の構成採用にある。
【００２５】
【発明の実施の形態】
以下、添付の図面を参照して本発明の実施の形態を組上げ構築壁につき説明する。
図１は本実施形態例の組上げ構築壁の概略組上げ構造説明図、図２（ａ），（ｂ），（ｃ），（ｄ），（ｅ）はそれぞれ両前／後パネルの内側正面図、平面図、底面図、左側面図、右側面図である。
【００２６】
図３（ａ），（ｂ），（ｃ），（ｄ），（ｅ）はそれぞれ縦継目接手の拡大正面図、左側面図、背面図、平面図、補強鉄筋との干渉説明図、図４（ａ），（ｂ），（ｃ），（ｄ）はそれぞれコーナー壁部における両内／外並行アングル縦継目接手の相対峙平面図、同右側面図、ＩＶ−ＩＶ線視拡大図、図５（ａ），（ｂ），（ｃ）は、それぞれＴ字仕切壁部における内並行アングル縦継目接手と外並行直板縦継目接手の相対峙平面図、同右側面図、図６はセパレーターの正面図である。なお、図中従来例と同一部材は同一符号を、対応部位はダッシュを付した。
【００２７】
図１中、βは本実施形態例の組上げ構築壁であり、図２中、両前／後パネル２、２は長手方向中央等間隔にダイヤ形凹陥２ａを配した嵌合縦横条凹陥模様２ｂと合致するダイヤ形凸起２ｃを配した嵌合縦横条凸起模様２ｄを上端面と下端面全長に亙ってそれぞれ連続形成するとともに、断面凹条２ｅとこれに合致する断面凸条２ｆを左端面と右端面に亙ってそれぞれ延在する。
【００２８】
又、相対峙する内側面の横方向等間隔所定の上部と下部に中間部を隔て、上下両端面からパネルを高さのほぼ３分の１ずつそれぞれ垂直に平面Ｔ嵌溝２ｇを切込んでなる。
ダイヤ形凹陥２ａ及びダイヤ形凸起２ｃがそれぞれ方形凹陥及び方形凸起である以外は従来例と同様であり、特に左右両端面の嵌合自在な断面凹条２ｅと断面凸条２ｆは、左右隣接パネル群２，２相互の広範囲な面積の横結合を強固とするとともに充填時やバイブレータ等による締固め時でも打設生コンクリートの漏れ出しを完璧に防止する。
【００２９】
図３（ａ）〜（ｅ）に示すよう、縦継目接手３は、二連の係止筒３ｆに代え突出ブロック３ｆ′に三連単位の内周テーパ面に形成した係止孔３ｆ′′を貫設して縦補強鉄筋Ｍの配筋位置が中央の係止孔３ｆ′′に臨む場合には左右いずれかの係止孔３ｆ′′に選択ずらして、又縦補強鉄筋Ｍ位置が二つの係止孔３ｆ′′に跨って掛かる場合には左右いずれかの掛からない係止孔３ｆ′′に選択ずらして、後述するセパレーター４′の直角鈎端４ａ′を生コンクリート充填衝撃や充填直後の不可欠なバイブレータ等による充填生コンクリートの締固めの振動によっても抜け難く、不動強固に挿入係止するよう係止孔３ｆ′′を上下に亙り漸次内径を拡大又は縮小するテーパー内面に形成する以外は従来例と同様である。
【００３０】
図４（ａ）〜（ｄ）に示すよう、コーナー壁部で施用する両内／外並行アングル縦継目接手５，６は所定の対向部位に三つ突設した二連の係止筒５ｄ，６ｄに代えて予測対向領域横方向全長に亙って連続突出棚ブロック５ｄ′，６ｄ′（図１参照）又は不連続等間隔突出ブロック５ｄ′，６ｄ′群に少なくとも上下に亙り漸次内径を拡大又は縮小するテーパー内面を有する三連単位の係止孔５ｄ′′，６ｄ′′群を貫設して縦継目接手３同様の三連単位の係止孔３ｆ′′と同一機能と壁厚Ｄの調整により相対峙控空間幅Ｌが伸縮しても対応出来るように形成した以外は従来例と同様である。
【００３１】
図５（ａ）〜（ｃ）に示すよう、Ｔ字仕切壁部で施用する外並行直板縦継目接手８と二箇の内並行アングル縦継目接手７とは、対向部位に計６つ突出した二連の係止筒７ｄ，８ｄに代えて予測対向領域横方向全長に亙って連続突出棚ブロック７ｄ′，８ｄ′（図１参照）又は不連続等間隔突出ブロック７ｄ′，８ｄ′群に少なくとも三連単位の各上下に亙り漸次内径を拡大又は縮小するテーパー内面を有する係止孔７ｄ′′，８ｄ′′群を貫設するとともに直板縦継目接手８内側中央に突設した突出ブロック８ｄ′に少なくとも四連単位の各上下に亙り漸次内径を拡大又は縮小するテーパー内面を有する係止孔８ｄ′′群を貫設して、コーナー壁部における両内／外並行アングル縦継目接手５、６の三連単位の係止孔５ｄ′′，６ｄ′′と同一機能を持たせる以外は従来例と同様である。
【００３２】
又、コーナー壁部とＴ字仕切壁部でそれぞれ施用する内並行アングル縦継目接手５と内並行アングル縦継目接手７とは同一形状に形成して同一全型で成形可能とする。
【００３３】
図６に示すよう、セパレーター４′は複数長さに切断した引張り力や剪断力に強い真直ぐな丸棒鉄筋を用意し、図示しない折曲機械を用いて、両端を同一方向に所要長直角並行に折曲して直角鈎端４ａ′を形成し簡易かつ安価に加工製作し得る。
【００３４】
本実施形態例の仕様は、前記のような具体的実施態様を呈するので、図１に示すよう、所要幅Ｌの充填用控空間を開けて一対の発泡プラスチック製両前／後パネル２，２を相対峙する並行パネル１を縦横に連続して多段に上下左右周面に亙り嵌合積立てて構築壁βを組上げる。
【００３５】
組上げるに当り、基礎打ちコンクリートを打設した基礎部Ｂ上に平壁部を組上げるには、上下に隣接する両前／後パネル２，２相互の各段縦継目Ａ１内側に跨って連続合致形成した平面Ｔ嵌溝２ｇに亙ってそれぞれ上下半分ずつ嵌挿した縦継目接手３の三連単位の内、縦横補強鉄筋Ｍ，Ｎ回避位置の係止孔３ｆ′′，３ｆ′′にセパレーター４′の両端の直角鈎端４ａ′，４ａ′をそれぞれ選択挿入連結して組構していく。
【００３６】
当該平壁部同様、基礎部Ｂ上にコーナー壁部を組上げるには、両内／外並行アングル縦継目接手５，６を、平面直角に組接した上下左右に隣接する各段の並行パネル１相互の縦継目Ａ１に跨ってかつ前後から外嵌状にコーナー壁部に亙ってそれぞれ挟み込み、並行相対向面対応領域の三連単位の内、縦横補強鉄筋Ｍ，Ｎ回避位置の係止孔５ｄ′′，６ｄ′′にセパレーター４′との両端の直角鈎端４ａ′，４ａ′をそれぞれ挿入連結し組構していく。
【００３７】
前記平壁部及びコーナー壁部同様、基礎部Ｂ上にＴ字仕切壁部を組上げるには、二つの内並行アングル縦継目接手７，７と外並行直板縦継目接手８を、一つの直面と二つの平面直角に組接した上下左右に隣接する（上下のみの場合もある）パネル１，１相互の各段縦継目Ａ１に跨って、かつ前後から外嵌状に外平板部と内コーナー壁部にそれぞれ亙って各々挟み込む一つの外並行直板縦継目接手８と二つの内並行アングル縦継目接手７，７のそれぞれ並行対向面対応領域の三連単位の内、補強鉄筋Ｍ，Ｎ回避位置の係止孔７ｄ′′と７ｄ′′，７ｄ′′と８ｄ′′にセパレーター４′の両端の直角鈎端４ａ′，４ａ′をそれぞれ挿入連結し組構していく。
【００３８】
なお、縦横補強鉄筋Ｍ，Ｎは、縦横連続一体性を高める為、予め充填用控空間内に配筋された組上げ壁が広範囲面積かつ高多段の所定高さに組みあがる毎に生コンクリートが充填用控空間内に充填打設され、バイブレータ等で締固めされた後、固化を俟って完成する。埋殺されたセパレーター４′群は前後補強鉄筋を構成し従来のコンクリート壁にはない前後鉄筋により強固に形成される。
【００３９】
両前面パネル２，２は、一つの金型成形で、内並行アングル縦継目接手５，７も一つの金型成形で、外並行アングル縦継目接手６も一つの金型成形で、又外並行直板縦継目接手８も一つの金型成形で、縦継目接手３も一つの金型成形で、計５つの金型により如何なる壁厚Ｄにも対応出来コストの低減を計れる。
【００４０】
図３（ｅ）に示すよう、充填用控空間幅Ｌ内部に縦横配筋する縦横補強鉄筋Ｍ、Ｎの配筋位置が少なくとも三連単位の係止孔３ｆ′′，５ｄ′′〜８ｄ′′中央に掛かりセパレーター４′の連結の邪魔となるときは、左右いずれかの係止孔３ｆ′′，５ｄ′′〜８ｄ′′を選択したり、二つの係止孔３ｆ′′，５ｄ′′〜８ｄ′′を跨いで掛かる時は、掛からない係止孔３ｆ′′，５ｄ′′〜８ｄ′′を選択する。
【００４１】
係止孔３ｆ′′，５ｄ′′〜８ｄ′′内面を上下に亙り漸次内径を拡大又は縮小してテーパ−内面に形成したので挿入したセパレーター４′の直角鈎端４ａ′をしっかり保持するため、外部振動や生コンクリート充填衝撃や直後に不可欠な作業の充填コンクリートを空洞又は気泡なく隅々迄行き届かすことや生コンクリート打継断層相互を融和密着することと水と砂利と砂とセメントを均一に混合締固めする際の従来常に慣行されるバイブレータ等の振動付加によっても抜け難く、不動強固に連結し、横補強鉄筋Ｎとの開係で上側から直角鈎端４ａ′を挿入連結困難なときは下側から直角鈎端４ａ′を挿入連結することが出来るから、横補強鉄筋Ｎの配筋位置をずらさずに済むため縦横補強鉄筋Ｍ，Ｎの縦横方向の連続性を確保し、壁強度を部分的に劣すことはない。
【００４２】
このことは階層を高く取れば取る程縦横補強鉄筋Ｍ，Ｎの数も増え、それだけ縦横補強鉄筋Ｍ，Ｎの配筋位置はセパレーター４′の連結の支障となることが多発する点を解消し得る。
【００４３】
さらに、構築壁βの弱点部となるコーナー壁部やＴ字仕切壁部のセパレーター４′の数を増やして補強効果を高めることが出来、階層を高く取る場合には平壁部においてもセパレーター４′を二連以上係止孔３ｆ′′，５ｄ′′〜８ｄ′′の二つ以上に挿入係止すれば壁強度を高く取れるので従来工法や構築壁では二階以上は厳しかったが、充分可能となった。
【００４４】
セパレーター４′も控空間幅Ｌに合わせた長さの真直ぐな鉄筋丸棒に切断し、折曲機で両端を直角に同方向に折曲して直角鈎端４ａ′を形成するだけなので安価に量産可能となり、他の部材と合わせ、現場組立が容易で熟練を要さず、短期かつ安価にしかも安全性を高くするため引張り力や剪断力に弱いコンクリートの弱点を補い頑丈な構築壁を得ることが出来る為、普及に拍車が掛かる。
【００４５】
以上、本発明の実施形態例について説明したが、本発明は必ずしも当該実施形態例の手段だけに限定されるものではなく、本発明の目的を達成し、後述する効果を有する範囲内において適宜変更して実施することが出来るものである。
【００４６】
【発明の効果】
かくして、本発明は、金型等の初期投資及びランニングコストを可及的に抑え、設計階層及び壁厚に応じ又、弱点部の増強及びセパレーター両端鈎端と係止孔の嵌入結合を強固とし、加えて、セパレーターの施用数を増減し得て安全率を確保し、短期施工で軽量組立部材の施用により、夏冬の厳しい季節や、過酷な環境下でも施工可能となり、内外装に工夫を凝らせば多用途に応じ量産可能かつ断熱性、遮音性、結露に強い経済的な構築壁を得る等優れた効果を奏する。
【００４７】
【図面の簡単な説明】
【図１】  本発明の実施の形態を示す組上げ構築壁の概略組上げ構築説明図である。
【図２】  （ａ）〜（ｅ）は、それぞれ両前／後パネルの内側正面図、平面図、底面図、左側面図及び右側面図である。
【図３】  （ａ）〜（ｅ）は、それぞれ縦継目接手の拡大正面図、同左側面図、同背面図、同平面図及び補強鉄筋との干渉説明図である。
【図４】  （ａ）〜（ｄ）は、それぞれコーナー壁部に施用される両内／外並行アングル縦横継目接手の相対峙平面図及び同右側面図、ＩＶ−ＩＶ線視拡大図である。
【図５】  （ａ）〜（ｃ）は、それぞれＴ字仕切壁に施用される内並行アングル縦継目接手と外並行直板縦継目接手の相対峙平面図及び同右側面図である。
【図６】  セパレーターの正面図である。
【図７】  従来の組上げ構築壁の概略組上げ構築説明図である。
【図８】  （ａ），（ｂ）は、それぞれ従来の縦継目接手の拡大斜視図及び同左側面図である。
【図９】  （ａ）〜（ｃ）は、それぞれ従来のセパレーターの拡大正面図、同平面図及び同底面図である。
【図１０】  従来のコーナー壁部に施用する両内／外並行アングル縦継目接手の相対峙平面図である。
【図１１】  従来のＴ字仕切壁部に施用する内並行アングル縦継目接手と外並行直板縦継目接手の相対峙平面図である。
【符号の説明】
α，β…組上げ構築壁
１…並行パネル
２…両前／後パネル
２ａ…ダイヤ形凹陥
２ｂ…嵌合縦横条凹陥模様
２ｃ…ダイヤ形凸起
２ｄ…嵌合縦横条凸起模様
２ｅ…断面凹条
２ｆ…断面凸条
２ｇ…平面Ｔ嵌溝
３…縦継目接手
３ａ…接手嵌板
３ｂ…接手露出板
３ｃ，３ｄ…接手嵌片
３ｅ…仕切嵌杆
３ｆ，５ｄ〜８ｄ…係止筒
３ｆ′，５ｄ′〜８ｄ′…（等間隔）突出ブロック又は（連続）突出棚ブロック
３ｆ′′，５ｄ′′〜８ｄ′′…係止孔
３ｇ…Ｖ溝
４，４′…セパレーター
４ａ…鉄筋受座
４ａ′…直角鈎端
４ｂ…並行二股屈曲両端部
４ｃ…割溝
４ｄ…先部鈎端
４ｅ…係止段部
５，７…内並行アングル縦継目接手
５ａ，５ｂ，６ａ，６ｂ，７ａ，７ｂ…直角接手板
５ｃ，６ｃ，７ｃ，８ｃ…連結杆
６…外並行アングル縦継目接手
８…外並行直板縦継目接手
８ａ，８ｂ…平縦継目接手板
Ｂ…基礎部
Ｄ…壁厚
Ｈ…パネル厚間隔
Ｌ…控空間幅
Ｍ…縦補強鉄筋
Ｎ…横補強鉄筋
【図１】
0003710793.tif 000002
【図２】
0003710793.tif 000003
【図３】
0003710793.tif 000004
【図４】
0003710793.tif 000005
【図５】
0003710793.tif 000006
【図６】
0003710793.tif 000007
【図７】
0003710793.tif 000008
【図８】
0003710793.tif 000009
【図９】
0003710793.tif 000010
【図１０】
0003710793.tif 000011
【図１１】
0003710793.tif 000012